【事件の表示】
　平成　９年特許願第３３７０６２号「シナリオ管理装置およびシナリオ管理をするプログラムを格納した媒体」拒絶査定不服審判事件〔平成１０年１２月　４日出願公開、特開平１０−３２０５７７、請求項の数（２）〕について、次のとおり審決する。
【結　論】
　原査定を取り消す。
　本願の発明は、特許すべきものとする。
【理　由】
１．手続の経緯
　本願は、平成９年１２月８日の出願であって、平成１５年４月２４日付けと同年８月２８日付けで拒絶理由が通知され、後者の拒絶理由により平成１６年１月５日付けで拒絶の査定がされ、同年２月１２日に拒絶の査定に対する審判請求がされるとともに、同年３月１１日付けで手続補正がされたものである。
　
２．平成１６年３月１１日付け手続補正の適否
（１）補正の内容
　平成１６年３月１１日付け手続補正（以下「本補正」という。）により、特許請求の範囲の請求項１は、
「論理画面を連携したシナリオの実行を管理するシナリオ管理装置において、
　論理画面の連携状態を、それぞれ論理画面を表象した画像情報を結合したシナリオ画面として表示する表示手段と、
　前記表示手段に表示されたシナリオ画面のうち一部の画面領域を選択するシナリオ領域選択手段と、
　前記シナリオ領域選択手段により選択された領域を示すシナリオ画面を表示する論理画面表示制御手段と、
　前記論理画面表示制御手段が表示したシナリオ画面のうち、前記シナリオ領域選択手段により選択された領域内に表示された画像情報に表象される論理画面についてシナリオの実行を行う実行手段と、
　を有することを特徴とするシナリオ管理装置。」に、
同じく請求項２は、
「論理画面の連携状態を、それぞれ論理画面を表象した画像情報を結合したシナリオ画面として表示する表示手段と、
　前記表示手段に表示されたシナリオ画面のうち一部の画面領域を選択するシナリオ領域選択手段と、
　前記シナリオ領域選択手段により選択された領域を示すシナリオ画面を表示する論理画面表示制御手段と、
　前記論理画面表示制御手段が表示したシナリオ画面のうち、前記シナリオ領域選択手段により選択された領域内に表示された画像情報に表象される論理画面についてシナリオの実行を行う実行手段と、
　をコンピュータに機能させるためのプログラムを記録したコンピュータ読み取り可能な
記録媒体。」と補正された。
　
（２）補正の目的の適否
　本補正は、請求項１に記載された「前記シナリオの１以上の論理画面を表示する表示手段」を「論理画面の連携状態を、それぞれ論理画面を表象した画像情報を結合したシナリオ画面として表示する表示手段」に、「前記表示手段に表示した論理画面を選択するシナリオ選択手段」を「前記表示手段に表示されたシナリオ画面のうち一部の画面領域を選択するシナリオ領域選択手段」に、「当該選択範囲内に含まれる論理画面を選択的に前記表示手段に表示する論理画面表示制御手段」を「前記シナリオ領域選択手段により選択された領域を示すシナリオ画面を表示する論理画面表示制御手段」に、「前記表示手段に表示された論理画面の実行手段」を「前記論理画面表示制御手段が表示したシナリオ画面のうち、前記シナリオ領域選択手段により選択された領域内に表示された画像情報に表象される論理画面についてシナリオの実行を行う実行手段」に、それぞれ限定するものであり、請求項２についても同様の限定を加えるものであるから、特許請求の範囲の減縮を目的とするものである。
　同時に、平成１５年８月２８日付け拒絶理由通知通知に係る特許請求の範囲の記載不備の理由に対応して、語句の統一を図り、明りょうでない記載の釈明を目的とするものである。
　
（３）新規事項の有無
　本補正は、特許明細書の段落２〜４、１３、１４、２４及び図４の記載からみて、願書に最初に添付した明細書または図面に記載した事項の範囲内でなされたものである。
　
（４）独立特許要件
　さらに、補正後の前記請求項１に記載された事項により特定される発明（以下「本願発明１」という。）及び同じく請求項２に記載された事項により特定される発明（以下「本願発明２」という。）が特許出願の際独立して特許を受けることができるものであるかについて以下に検討する。
　
（ア）引用例
　原査定の拒絶の理由に引用された本願出願前頒布された刊行物である特開平５−２９０１４３号公報（以下「引用例」という。）には、図面とともに、次の事項が記載されている。
（ａ）「【００２３】実施例２．次に、請求項２の発明の一実施例について説明する。図７において、１１は情報記憶手段であり、プレゼンテーションに用いるフルサイズ画像と画像検索時に用いる目次画像とで構成される画像データと、画像を表示する際にその画像内の部分領域を他の領域と識別できるように表示する強調効果を実行する為に用いる小道具情報と、プレゼンテーション時に表示する画像名及び順序を示すシナリオ情報とを記憶する。１２は表示する画像を一時的に記憶する画像表示メモリ、１３は画像表示メモリ１２に記憶されているデータを表示する表示装置、１４は例えばイメージスキャナの様な自然静止画像を入力する画像入力手段、１５は例えばカメラやＶＴＲの様な映像を入力する複数の映像入力手段、１６は画像表示メモリ１２に記憶するデータを前記情報記憶手段１１、画像入力手段１４、映像入力手段１５の何れから入力するかを選択し切り換える表示切り換え手段、１７は上記小道具情報に従って強調効果を実行する画像強調手段としての小道具実行手段、１８は情報記憶手段１１に記憶されている複数の画像の目次画像を高速に表示しこの複数の画像の中から指定された画像を選択する画像検索手段、１９は例えばマウスやタッチパネルの様な操作者の指示を入力する為のポインティングデバイス、２０は本装置全体の動作を制御する中央制御装置、２１は中央制御装置２０と各処理部との間で命令やデータをやり取りするためのシステムバスである。なお、画像表示メモリ１２、表示装置１３により画像表示手段が構成される。」（５頁８欄７〜３３行）
（ｂ）「【００２５】次に本実施例によるプレゼンテーションの準備（以下「オーサリング」と記す）の動作を説明する。」（６頁９欄９〜１１行）
（ｃ）「【００３５】次に、「ＰＲ作成」について説明する。図１６はＰＲ作成処理の動作を示すフローチャートである。図に示すようにＰＲ作成処理では、作成・編集するＰＲファイルの選択（ステップＳＴ１６１）、シナリオで用いる画像のピックアップ（ステップＳＴ１６２）、順序付け（ステップＳＴ１６３）、ＰＲの登録（ステップＳＴ１６４）の４つの処理を実行する。」（７頁１２欄３９〜４５行）
（ｄ）「【００３７】　次に順序付け処理（ステップＳＴ１６３）において、ピックアップした画像に表示する順序付けを行う。図１９は順序付け処理時の表示画面を示した図である。また、図２０は中央制御装置２０の内部メモリに記憶している編集用画像リストである。図１９に示すように、先ず上述の画像ピックアップ処理でピックアップされた画像の目次画像１９１を表示する。操作者がプレゼンテーション時に表示する順番に従って目次画像１９１をポインティングすると、中央制御装置２０はその順番を示す番号１９２を編集用画像リストに記憶すると同時にその目次画像１９１の位置に表示する。また、ポインティングする画像に付けられる番号１９３と番号１９３を変更する為のボタン１９４も画面上に表示しておく。通常は操作者が目次画像を一つポインティングする毎に番号を自動的に１づづ増加させるが、操作者が番号を変更する為のボタン１９４をポインティングすることにより番号を飛ばして付けることができる。番号が重複する場合はエラーメッセージを表示する。順序付け処理には他に「置換」（挿入」「番号消去」「画像削除」「整列」の機能がある。「置換」は番号が付けられた２つの画像の表示順序を入れ換える処理である。操作者がメニューボタン１９５の「置換」をポインティングした後入れ換えたい２つの目次画像を続けてポインティングすると、該２つの画像に付けられている番号１９２が入れ換えて再表示される。「挿入」は、番号が付けられていない目次画像を既に番号が付けられている画像の前に挿入する処理である。本処理では先ず、操作者がメニューボタンの「挿入」をポインティングし、次に挿入したい画像Ａをポインティングし、続いて番号の付いた画像Ｂをポインティングする。画像Ａと画像Ｂが選択されると、画像Ａは画像Ｂの前に挿入される。これに伴い中央制御装置２０は、画像Ａに画像Ｂに付けられた番号を、また画像Ｂ及び画像Ｂより大きい番号の付けられていた画像にはその番号順に自動的に番号を付け直し再表示する。
【００３８】「番号消去」は番号が付けられた画像の番号をはずす処理である。また「画像削除」は、使わない画像を編集用画像リスト及び順序付け処理の画面から削除する処理である。「整列」は上述の方法で図２０（ａ）の様に順番付けされた画像を、順番通りに並べ直す処理である。図２０（ｂ）の様に、番号の小さい画像から順番に並べ１から順に番号を付け直し、番号の付けられていない画像は後ろに並べる。編集用画像リストの並べ直しを行った後、順序付け処理の画面も、並べ直しを行った編集用画像リストに従って順番通りに目次画像を表示し直す。順序付けが完了し操作者が終了ボタンをポインティングすると順序付け処理を終了し、次の指示待ち状態になる。最後にＰＲ登録処理（ステップＳＴ１６４）において、上述のように順番付けられた画像リストをＰＲファイルとして情報記憶手段１１に記憶する。情報記憶手段１１には図２０（ｂ）のように番号順に整列した状態で記憶する。新規に作成したＰＲファイルを記憶する際にはプレゼンテーションの中で第１番目に表示する画像をプレゼンテーションのタイトル画像として登録する。以上の各処理によってＰＲ作成が終了すると、メインメニューを表示し操作者の指示待ち状態になる。」（８頁１３欄４２行〜同１４欄４８行）
（ｅ）「【００３９】次に、ＰＲ実行処理を説明する。図２１はＰＲ実行処理の動作を示すフローチャートである。先ず情報記憶手段１１に既に記憶されているＰＲファイルのタイトル画像の目次画像を画面上に並べて表示する。操作者が、先に説明した目次画像検索の要領で所望のＰＲファイルを選択する（ステップＳＴ２１１）と、中央制御装置２０は該ＰＲファイルに記述されている画像名及び表示順序情報を読み出しＰＲ実行用画像リストとして内部メモリに記憶し（ステップＳＴ２１２）、頁番号に１をセットする（ステップＳＴ２１３）。次に、ＰＲ実行用画像リストの頁番号１の画像のフルサイズ画像とその画像の小道具情報を情報記憶手段１１から読出し、画像の表示（ステップＳＴ２１４）及び小道具の実行（ステップＳＴ２１５）を行う。このとき図２２に示すように、画面上に「次頁」ボタン２２１及び「オプションボタン」２２２を表示する。操作者が次頁ボタン２２１をポインティングすると、小道具実行を終了し、頁番号を１だけ進める（ステップＳＴ２１８）。ＰＲ実行用画像リストの中にその頁番号の画像があれば（ステップＳＴ２１４）に戻り、その画像の表示を行う。ＰＲ実行用画像リスト内の頁番号の付いた画像を全て表示し終わると、メニュー選択２（ステップＳＴ２２２）に進む。」（８頁１４欄４９行〜９頁１５欄２０行）
　
（イ）対比・判断
　引用例には本願発明１の特徴である
「論理画面の連携状態を、それぞれ論理画面を表象した画像情報を結合したシナリオ画面として表示する表示手段と前記表示手段に表示されたシナリオ画面のうち一部の画面領域を選択するシナリオ領域選択手段と、前記シナリオ領域選択手段により選択された領域内に表示された画像情報に表象される論理画面についてシナリオの実行を行う実行手段」が記載されていない。
　この特徴は、すなわち、論理画面の連携状態をそれぞれ論理画面を表象した画像情報の結合で表示し、これをシナリオ画面となしてその一部を選択し実行するものであり、シナリオ実行にあたって必要な論理画面の連携状態をもシナリオ画面の一部として選択しうるものである。
　確かに、論理画面のようなステップとそのステップの連携状態を結合として表示し、そのステップを選択実行することは、特開平１−２５５９３７号公報に記載されているように周知技術であるが、合わせて連携状態をも選択できるようにすることは公知ではないし、当業者が容易に想到し得るとすることもできない。そしてこの特徴により本願発明１は、個別の論理画面の更新等を行った際に、確認のための実行（デバッグ作業）が迅速かつ容易に遂行できる効果を奏するものと認められる。
　
　一方、本願発明２も上記特徴を含むものであるから、同様に当業者が容易に想到し得るとすることはできない。
　
（ウ）結論
　したがって、本願発明１及び本願発明２は、上記引用例に記載された発明に基づいて、当業者が容易に発明をすることができたものであるとすることはできない。
　また、原査定の特許請求の範囲の記載が不備という理由についても本補正により解消されており、他に本願発明１及び本願発明２を拒絶すべき理由を発見しない。
　
　よって、本願発明１及び本願発明２は特許出願の際独立して特許を受けることができるものである。
　
３．本願発明について
　上記２．のとおり、本補正は特許法１７条の２第３項から第５項までの規定を満たすものであるから本願発明は本補正後の特許請求の範囲に記載された事項により特定されるものであり、してみれば、上記２．（４）のとおり本願発明１，２ともに特許を受けることができるものである。
　
４．むすび
　上記のとおりであり、また、他に本願を拒絶すべき理由を発見しない。
　よって、結論のとおり審決する。